【手続補正書】
【提出日】平成17年5月16日(2005.5.16)
【手続補正１】
【補正対象書類名】明細書
【補正対象項目名】発明の名称
【補正方法】変更
【補正の内容】
【発明の名称】医用画像装置の操作支援システム及び方法
【手続補正２】
【補正対象書類名】明細書
【補正対象項目名】特許請求の範囲
【補正方法】変更
【補正の内容】
【特許請求の範囲】
【請求項１】
医療施設などのユーザーサイトに設置される医用画像装置であって、この医用画像装置の操作卓に前記医用画像装置を操作するための実際の操作画面を表示する第一の表示手段と、通信回線を介して前記操作画面と同一の操作画面を送信する手段と、前記通信回線を介して受信された情報を表示する第二の表示手段と、を有する前記医用画像装置と、
サポートセンタに設置されるセンタ用コンピュータであって、前記医用画像装置の操作卓から通信回線を介して受信した前記実際の操作画面を表示する第三の表示手段と、前記実際の操作画面をシミュレーションした仮想の操作画面を生成する手段と、前記仮想の操作画面を表示する第四の表示手段と、前記仮想の操作画面を通信回線を介して前記医用画像装置の操作卓に送信する手段と、を有する前記センタ用コンピュータと、を備え、
前記センタ用コンピュータは、前記第四の表示手段に表示された前記仮想の操作画面を用いてインストラクタが行った操作支援情報を前記医用画像装置に送信し、
前記医用画像装置は、前記通信回線を介して前記操作支援情報を受信し、前記第二の表示手段が受信した前記操作支援情報を表示する、
ことを特徴とする医用画像装置の操作支援システム。
【請求項２】
医療施設などのユーザーサイトに設置された医用画像装置と接続されたサポート用コンピュータであって、このサポート用コンピュータに前記医用画像装置を操作するための実際の操作画面を表示する第一の表示手段と、通信回線を介して前記操作画面と同一の操作画面を送信する手段と、前記通信回線を介して受信された情報を表示する第二の表示手段と、を有する前記サポート用コンピュータと、
サポートセンタに設置されるセンタ用コンピュータであって、前記サポート用コンピュータから通信回線を介して受信した前記実際の操作画面を表示する第三の表示手段と、前記実際の操作画面をシミュレーションした仮想の操作画面を生成する手段と、前記仮想の操作画面を表示する第四の表示手段と、前記仮想の操作画面を通信回線を介して前記サポート用コンピュータに送信する手段と、を有する前記センタ用コンピュータと、を備え、
前記センタ用コンピュータは、前記第四の表示手段に表示された前記仮想の操作画面を用いてインストラクタが行った操作支援情報を前記サポート用コンピュータに送信し、
前記サポート用コンピュータは、前記通信回線を介して前記操作支援情報を受信し、前記第二の表示手段が受信した前記操作支援情報を表示する、
ことを特徴とする医用画像装置の操作支援システム。
【請求項３】
医療施設などのユーザサイトに設置された医用画像装置の操作卓又は前記医用画像装置に接続されたサポート用コンピュータが、センタ用コンピューターへサポート依頼を送信する工程と、
前記センタ用コンピュータが、前記医用画像装置又はサポート用コンピュータへ前記医用画像装置の実際の操作画面の送信を要求する工程と、
前記医用画像装置又はサポート用コンピュータが、前記センタ用コンピュータへ前記医用画像装置又はサポート用コンピュータの前記実際の操作画面を送信する工程と、
前記センタ用コンピュータが、前記実際の操作画面を受信してその複製画面を生成する工程と、
前記センタ用コンピュータが、前記生成された複製画面を用いたインストラクタによる操作情報を表示するとともに、前記センタ用コンピュータが前記医用画像装置又はサポート用コンピュータへ前記操作情報を送信する工程と、
前記医用画像装置又はサポート用コンピュータが、前記インストラクタによる操作情報を受信して表示する工程と、
を含むことを特徴とする医用画像装置の操作支援方法。
【手続補正３】
【補正対象書類名】明細書
【補正対象項目名】０００７
【補正方法】変更
【補正の内容】
【０００７】
【課題を解決するための手段】  前記目的を達成するために請求項１に係る発明は、医療施設などのユーザーサイトに設置される医用画像装置であって、この医用画像装置の操作卓に前記医用画像装置を操作するための実際の操作画面を表示する第一の表示手段と、通信回線を介して前記操作画面と同一の操作画面を送信する手段と、前記通信回線を介して受信された情報を表示する第二の表示手段と、を有する前記医用画像装置と、サポートセンタに設置されるセンタ用コンピュータであって、前記医用画像装置の操作卓から通信回線を介して受信した前記実際の操作画面を表示する第三の表示手段と、前記実際の操作画面をシミュレーションした仮想の操作画面を生成する手段と、前記仮想の操作画面を表示する第四の表示手段と、前記仮想の操作画面を通信回線を介して前記医用画像装置の操作卓に送信する手段と、を有する前記センタ用コンピュータと、を備え、前記センタ用コンピュータは、前記第四の表示手段に表示された前記仮想の操作画面を用いてインストラクタが行った操作支援情報を前記医用画像装置に送信し、前記医用画像装置は、前記通信回線を介して前記操作支援情報を受信し、前記第二の表示手段が受信した前記操作支援情報を表示する、ことを特徴としている。
また、請求項２に係る発明は、医療施設などのユーザーサイトに設置された医用画像装置と接続されたサポート用コンピュータであって、このサポート用コンピュータに前記医用画像装置を操作するための実際の操作画面を表示する第一の表示手段と、通信回線を介して前記操作画面と同一の操作画面を送信する手段と、前記通信回線を介して受信された情報を表示する第二の表示手段と、を有する前記サポート用コンピュータと、サポートセンタに設置されるセンタ用コンピュータであって、前記サポート用コンピュータから通信回線を介して受信した前記実際の操作画面を表示する第三の表示手段と、前記実際の操作画面をシミュレーションした仮想の操作画面を生成する手段と、前記仮想の操作画面を表示する第四の表示手段と、前記仮想の操作画面を通信回線を介して前記サポート用コンピュータに送信する手段と、を有する前記センタ用コンピュータと、を備え、前記センタ用コンピュータは、前記第四の表示手段に表示された前記仮想の操作画面を用いてインストラクタが行った操作支援情報を前記サポート用コンピュータに送信し、前記サポート用コンピュータは、前記通信回線を介して前記操作支援情報を受信し、前記第二の表示手段が受信した前記操作支援情報を表示する、ことを特徴としている。
また、請求項３に係る発明は、医療施設などのユーザサイトに設置された医用画像装置の操作卓又は前記医用画像装置に接続されたサポート用コンピュータが、センタ用コンピュータへサポート依頼を送信する工程と、前記センタ用コンピュータが、前記医用画像装置又はサポート用コンピュータへ前記医用画像装置の実際の操作画面の送信を要求する工程と、前記医用画像装置又はサポート用コンピュータが、前記センタ用コンピュータへ前記医用画像装置又はサポート用コンピュータの前記実際の操作画面を送信する工程と、前記センタ用コンピュータが、前記実際の操作画面を受信してその複製画面を生成する工程と、前記センタ用コンピュータが、前記生成された複製画面を用いたインストラクタによる操作情報を表示するとともに、前記センタ用コンピュータが前記医用画像装置又はサポート用コンピュータへ前記操作情報を送信する工程と、前記医用画像装置又はサポート用コンピュータが、前記インストラクタによる操作情報を受信して表示する工程と、を含むことを特徴としている。